(57)【要約】      （修正有）【課題】簡単な構成でもって粉状物を所定量排出することができる計量機能付き容器を提供すること。【解決手段】容器本体４と、この容器本体４の口部８に装着される蓋体１８とを備え、蓋体１８にて計量された粉状物Ｐが排出開口３４を通して排出される計量機能付き容器。蓋体１８は、計量開口４２を備えた内蓋２０と、排出開口３４が設けられた外蓋２２とを有し、内蓋２０周側壁４０は、排出開口３４側に向けて径方向外方に拡がるテーパ状に形成されている。容器本体４を下方に向けて一振りすると、容器本体４内の粉状物Ｐが内蓋２０の計量開口４２を通して中間空間２４に排出され、この計量の際に、粉状物Ｐが内蓋２０の周側壁４０の外周面に沿って流れることによって、計量開口４２付近の粉状物Ｐの密度が高められ、これによって、粉状物Ｐ間の摩擦抵抗が大きくなって流出が止まる。【選択図】図４
2013010515.tif 000002
【特許請求の範囲】
【請求項１】
粉状物が収容される容器本体と、この容器本体の口部に装着される蓋体とを備え、蓋体は計量機能を有し、前記蓋体にて計量された粉状物が排出開口を通して排出される計量機能付き容器において、
前記蓋体は、計量開口を備えた内蓋と、前記排出開口が設けられた外蓋とを有し、前記内蓋が前記外蓋の内側に配設され、前記内蓋と前記外蓋との間に中間空間が規定されており、
前記内蓋は、前記計量開口が設けられた底壁と、前記底壁から前記排出開口側に延びる周側壁とを有し、前記周側壁が前記排出開口側に向けて径方向外方に拡がるテーパ状に形成されており、
前記容器本体の口部を下側に向けて一振りすると、前記容器本体内の粉状物が前記内蓋の前記計量開口を通して計量されて前記中間空間に排出され、この計量の際に、前記容器本体内の粉状物が前記内蓋の前記周側壁の外周面に沿って流れることによって、前記計量開口付近の粉状物の密度が高められ、これによって、粉状物間の摩擦抵抗が大きくなって前記計量開口からの粉状物の流れが止まり、そして、前記中間空間に排出された粉状物が前記外蓋の前記排出開口を通して排出されることを特徴とする計量機能付き容器。
【請求項２】
前記内蓋の前記周側壁のテーパ角度は、３０〜６０度の角度でもって径方向外方に拡がっていることを特徴とする請求項１に記載の計量機能付き容器。
【請求項３】
前記内蓋の前記周側壁は、径方向内方に凹状に形成されていることを特徴とする請求項１又は２に記載の計量機能付き容器。
【請求項４】
前記内蓋の前記計量開口は、前記底壁の実質上全域にわたって設けられていることを特徴とする請求項１〜３のいずれかに記載の計量機能付き容器。
【請求項５】
前記外蓋は、前記排出開口が設けられた天壁と、前記天壁から前記内蓋に向けて径方向外方に拡がる上側周側壁と、前記周側壁の外周端部に設けられた環状フランジと、前記周側壁の前記外周端部又は前記環状フランジから下方に延びる下側周側壁とを備え、前記下側周側壁が前記容器本体の前記口部に装着され、前記内蓋が前記外蓋の前記下側周側壁の基部に装着されることを特徴とする請求項１〜４のいずれかに記載の計量機能付き容器。
【請求項６】
前記容器本体の口部には、前記蓋体を取り外すための取外し具の一部が挿入される挿入切欠きが設けられ、前記挿入切欠きに挿入された前記取外し具の前記一部は、前記外蓋の前記環状フランジに係止されることを特徴とする請求項５に記載の計量機能付き容器。
【発明の詳細な説明】
【技術分野】
【０００１】
本発明は、排出の際に粉状物の計量を行って所定量を排出する計量機能付き容器に関する。
【背景技術】
【０００２】
容器に収容された粉状物を排出する際に計量を行って排出する容器が提案されている（例えば、特許文献１参照）。この容器は、粉状物が収容される容器本体と、この容器本体の口部に装着されるキャップ本体と、このキャップ本体に開閉可能に設けられた蓋体とを備え、キャップ本体に第１位置と第２位置との間を移動自在に装着された操作部材とを備えている。この操作部材に関連してコイルばねが設けられ、コイルばねは、操作部材を第１の位置に向けて弾性的に偏倚する。この操作部材には計量空間が設けられ、コイルばねの作用によって操作部材が第１位置にあるときには、この計量空間がキャップ本体の連通孔に整合し、またコイルばねの作用に抗して押圧して操作部材を第２位置に位置付けると、この計量空間がキャップ本体の振出し口に整合する。
【０００３】
このような容器においては、容器本体に収容された粉状物を排出する際には、操作部材を第１の位置に保持した状態にて容器本体を逆さの状態にする。かくすると、容器本体内の粉状物が連通孔を通して操作部材の計量室に流入し、このようにして粉状物の計量が行われる。その後、逆さにした状態にて操作部材を押圧して第２位置まで動かすと、操作部材の計量室内の粉状物が振出し口を通して排出され、かくして、計量室にて計量された粉状物が振り出され、所定量の粉状物を振り出すことができる。
【先行技術文献】
【特許文献】
【０００４】
【特許文献１】特開２０１０−１２６２１３号公報
【発明の概要】
【発明が解決しようとする課題】
【０００５】
しかしながら、このような従来の計量機能付き容器においては、次の通りの解決すべき問題がある。第１に、キャップ本体に操作部材が第１位置と第２位置との間を移動自在に装着される構成であり、それ故に、その構成が複雑となり、容器の製造コストが高くなる問題がある。第２に、キャップ本体と操作部材との間に粉状物が入りやすく、これら両者間に粉状物が入ると、操作部材をスムースに移動させることが難しくなる。第３に、粉状物を振り出す際には、容器本体を逆さにした後、操作部材を第１位置から第２位置に移動させなければならず、粉状物を振出す際の動作が二つの動作となり、その動作が煩雑となる。
【０００６】
本発明の目的は、簡単な構成でもって粉状物を所定量排出することができる計量機能付き容器を提供することである。
【０００７】
また、本発明の他の目的は、容器本体を下方に一振りするという単純な動作でもって粉状物を所定量排出することができる計量機能付き容器を提供することである。
【課題を解決するための手段】
【０００８】
本発明の請求項１に記載の計量機能付き容器は、粉状物が収容される容器本体と、この容器本体の口部に装着される蓋体とを備え、蓋体は計量機能を有し、前記蓋体にて計量された粉状物が排出開口を通して排出される計量機能付き容器において、
前記蓋体は、計量開口を備えた内蓋と、前記排出開口が設けられた外蓋とを有し、前記内蓋が前記外蓋の内側に配設され、前記内蓋と前記外蓋との間に中間空間が規定されており、
前記内蓋は、前記計量開口が設けられた底壁と、前記底壁から前記排出開口側に延びる周側壁とを有し、前記周側壁が前記排出開口側に向けて径方向外方に拡がるテーパ状に形成されており、
前記容器本体の口部を下側に向けて一振りすると、前記容器本体内の粉状物が前記内蓋の前記計量開口を通して計量されて前記中間空間に排出され、この計量の際に、前記容器本体内の粉状物が前記内蓋の前記周側壁の外周面に沿って流れることによって、前記計量開口付近の粉状物の密度が高められ、これによって、粉状物間の摩擦抵抗が大きくなって前記計量開口からの粉状物の流れが止まり、そして、前記中間空間に排出された粉状物が前記外蓋の前記排出開口を通して排出されることを特徴とする。
【０００９】
また、本発明の請求項２に記載の計量機能付き容器では、前記内蓋の前記周側壁のテーパ角度は、３０〜６０度の角度でもって径方向外方に拡がっていることを特徴とする。
【００１０】
また、本発明の請求項３に記載の計量機能付き容器では、前記内蓋の前記周側壁は、径方向内方に凹状に形成されていることを特徴とする。
【００１１】
また、本発明の請求項４に記載の計量機能付き容器では、前記内蓋の前記計量開口は、前記底壁の実質上全域にわたって設けられていることを特徴とする。
【００１２】
また、本発明の請求項５に記載の計量機能付き容器では、前記外蓋は、前記排出開口が設けられた天壁と、前記天壁から前記内蓋に向けて径方向外方に拡がる上側周側壁と、前記周側壁の外周端部に設けられた環状フランジと、前記周側壁の前記外周端部又は前記環状フランジから下方に延びる下側周側壁とを備え、前記下側周側壁が前記容器本体の前記口部に装着され、前記内蓋が前記外蓋の前記下側周側壁の基部に装着されることを特徴とする。
【００１３】
更に、本発明の請求項６に記載の計量機能付き容器では、前記容器本体の口部には、前記蓋体を取り外すための取外し具の一部が挿入される挿入切欠きが設けられ、前記挿入切欠きに挿入された前記取外し具の前記一部は、前記外蓋の前記環状フランジに係止されることを特徴とする。
【発明の効果】
【００１４】
本発明の請求項１に記載の計量機能付き容器によれば、蓋体は、計量開口を備えた内蓋と、排出開口が設けられた外蓋とを有し、この内蓋と外蓋との間に中間空間が規定されているので、内蓋の計量開口を通して計量された粉状物は中間空間に流れ、この中間空間に流れた粉状物が外蓋の排出開口を通して排出され、容器本体を一振りすることによって所定量の粉状物を振り出すことができ、また計量開口を有する内蓋と排出開口を有する外蓋との組合せという簡単な構成でもって所定量計量して排出することができる。更に、内蓋は、計量開口が設けられた底壁から外蓋の排出開口側に延びる周側壁を有し、この周側壁が排出開口側に向けて径方向外方に拡がるテーパ状に形成されているので、容器本体の口部を下側に向けて一振りすると、容器本体内の粉状物が内蓋の周側壁の外周面に沿って流れることによって、計量開口付近の粉状物の密度が高められ、これによって、粉状物間の摩擦抵抗が大きくなって計量開口からの粉状物の流れが止まり、従って、このようにして計量開口が塞がれるまでの間、粉状物が計量開口を通して中間空間に流出し、かく流出する流出量を所定量にすることによって、容器を一振りするときの排出量を所定量とすることができる。
【００１５】
また、本発明の請求項２に記載の計量機能付き容器によれば、内蓋の周側壁のテーパ角度が３０〜６０度の角度でもって径方向外方に拡がっているので、容器を下側に向けて振ったときに、容器本体内の粉状物は、このテーパ状の周側壁に沿って径方向外方に向けて流れ、これによって、縁蓋の計量開口付近の粉状物の密度が所要の通りに高められ、その結果、粉状物間の摩擦抵抗が大きくなって粉状物の流出が止まり、内蓋の計量開口を通して流出する粉状物の流出量を所定量とすることができる。
【００１６】
また、本発明の請求項３に記載の計量機能付き容器によれば、内蓋のテーパ状の周側壁は、径方向内方に凹状に形成されているので、容器を下側に向けて振ったときに、容器本体内の粉状物は、このテーパ状周側壁の凹状面に沿って径方向外方に向けてスムースに流れ、これによって、内蓋の計量開口付近の粉状物の密度がより高められ、その結果、粉状物間の摩擦抵抗がより大きくなって粉状物の流出が確実に止まり、これによって、粉状物の流出量をより正確に所定量とすることができる。
【００１７】
また、本発明の請求項４に記載の計量機能付き容器によれば、内蓋の計量開口は、底壁の実質上全域にわたって設けられているので、容器本体をテーブルなどに載置して元の状態に戻したときに、内蓋と外蓋との間の中間空間に残った粉状物は、内蓋のテーパ状周側壁の内面に沿って下方に流下して計量開口を通して容器本体内に流下し、この中間空間での粉状物の残留を少なく抑えることができる。
【００１８】
また、本発明の請求項５に記載の計量機能付き容器によれば、外蓋の下側周側壁が容器本体の口部内に装着されるので、この外蓋を容器本体に簡単に装着することができる。また、内蓋は外蓋の下側周側壁の基部に装着されるので、この内蓋を外蓋に簡単に装着することができる。
【００１９】
更に、本発明の請求項６に記載の計量機能付き容器によれば、容器本体の口部に取外し具の一部を挿入する挿入切欠きが設けられているので、取外し具の一部を容器本体の口部の挿入切欠きに挿入して外蓋の環状フランジに係止することによって、この外蓋（これに装着された内蓋も）を容器本体の口部から容易に取り外すことができる。
【図面の簡単な説明】
【００２０】
【図１】本発明に従う容器の第１の実施形態を示す正面図。
【図２】図１の容器を示す断面図。
【図３】図１の容器の蓋体及びその近傍を拡大して示す部分拡大断面図。
【図４】図１の容器を下側に向けて振り出した状態を示す部分拡大断面図。
【図５】本発明に従う容器の第２の実施形態の一部を示す部分拡大断面図。
【図６】本発明に従う容器の第３の実施形態の一部を示す部分拡大断面図。
【図７】変形形態の蓋体を示す平面図。
【図８】容器本体から蓋体を取り外すときに用いる取外し具を示す斜視図。
【図９】蓋体を取り外す際の状態を示す部分拡大断面図。
【図１０】蓋体を取り外している状態を示す部分拡大断面図。
【発明を実施するための形態】
【００２１】
以下、添付図面を参照して、本発明に従う容器の種々の実施形態について説明する。
【００２２】
〔第１の実施形態〕
まず、図１から図４を参照して、第１の実施形態の容器について説明する。図１及び図２において、図示の容器２は、粉状物が収容される容器本体４と、この容器本体４に取り付けられるキャップ体６とを備えている。容器本体２の上端部には外径が小さくなっている口部８が設けられ、この口部８の外周面には雄ねじ部１０が設けられている。また、キャップ体６は、略半球状の天壁１２と、この天壁１２の外周部から垂下する周側壁１４とを有し、周側壁１４の内周面に雌ねじ部１６が設けられている。このように構成されているので、キャップ体６の雌ねじ部１４と容器本体４の雄ねじ部１０とを螺合して締付け方向に回動することによって、キャップ体６を容器本体４の口部８に装着することができ、またキャップ体６を緩み方向に回動させることによって、このキャップ体６を容器本体４の口部８から取り外すことができる。
【００２３】
この容器本体４の口部８に蓋体１８が装着されている。図３をも参照して、この形態の蓋体１８は、内側に配設された内蓋２０と、外側に配設された外蓋２２とを有し、この内蓋２０と外蓋２２との間に中間空間２４が規定されている。
【００２４】
外蓋２２は、天壁２６と、この天壁２６の外周部から内蓋２０に向けて（図３において下方に向けて）径方向外方にテーパ状に拡がって延びる上側周側壁２８と、この上側周側壁２８の外周下端部から水平方向に径方向外方に延びる環状フランジ３０と、この上側周側壁２８の外周下端部から垂直下方に延びる下側周側壁３２とを有している。また、天壁２６には排出開口３４が設けられ、この排出開口３４は円形状に形成されているが、楕円状などの適宜の形状でよい。尚、環状フランジ部３０が径方向内方に延びているときには、この下側周側壁３２は環状フランジ３０から垂下するようにしてもよい。
【００２５】
この外蓋２２は、下側周側壁２８を容器本体４の口部８内に挿入するようにして容器本体４に装着される。かく装着した状態においては、外蓋２２の環状フランジ３０が容器本体４の口部８の上端面に当接し、この環状フランジ３０の外周面が口部８の外周面と同一の周面を規定し、下側周側壁３２は口部８の内周面に沿って下方に延び、上側周側壁２８は、口部８から上方に突出する。
【００２６】
また、内蓋２０は、底壁３６と、この底壁３６の外周部から外蓋２２に向けて（図３において上方に向けて）径方向外方にテーパ状に拡がって延びる周側壁３８とを有している。底壁３６には計量開口４２が設けられ、この計量開口４２は円形状に形成されている。
【００２７】
この内蓋２２は、その周側壁３８の外周部が外蓋２２の下側周側壁３２の基部に圧入の如き手段によって装着され、かく装着した状態では、内蓋２２の周側壁４０は、容器本体４の口部８内を内側（容器本体４内側）に突出する。このように構成されているので、外蓋２２と内蓋２０とは一体的となり、外蓋２４を容器本体４の口部８に装着することによって、内蓋２０も装着することができ、また外蓋２２を容器本体４の口部８から取り外すことによって、内蓋２０も取り外すことができる。
【００２８】
この容器２においては、容器本体４は、例えばポリエチレンから形成され、キャップ体６は、例えばポリプロピレンから形成され、また蓋体（内蓋２０及び外蓋２２）は、例えばポリエチレンから形成される。
【００２９】
このような容器２には、粉状物Ｐが収容される。粉状物Ｐとしては粉末茶（粉末煎茶、粉末玄米茶、粉末ほうじ茶など）、山椒、胡椒などであり、その大きさが５〜５００μｍのもの、好ましくは５〜２００μｍのものであり、このような大きさの粉末を一振りで所定量振り出すのに用いることができる。
【００３０】
例えば、粉末茶を例にして説明すると、お茶をつくるときには、約１８０ｃｃのお湯に粉末茶を０．２〜０．４５ｇ入れる、好ましくは０．３ｇいれることによっておいしいものをつくることができ、粉末茶の場合、容器本体４を下側に向けて一振りしたときの排出量は、約０．３ｇが目標値となる。
【００３１】
一振りの粉末茶の排出量（換言すると、計量量）の目標値が０．３ｇとなるようにするには、例えば、内蓋２０に関連する構成を次のように構成するのが望ましい。内蓋２０の周側壁４０のテーパ角度α（図３参照）（底壁３６を基準とする周側壁４０の傾斜角度）を３０〜６０度にするのが好ましく、４０〜５０度にするのが一層好ましく、この実施形態では４５度に設定されている。このような角度範囲に設定すると、容器本体４を下側に向けて一振りすると、容器本体４内の粉状物が内蓋２０の周側壁４０の外周面に沿って径方向外方に流れることによって、容器本体４の底部からの粉状物Ｐの自重などにより計量開口４２付近の粉状物の密度が高められ、これによって、粉状物間の摩擦抵抗が大きくなって計量開口４２からの粉状物Ｐの流出が止まるようになる。従って、このように計量開口４２が塞がれるまで粉状物Ｐが計量開口４２を通して流出し、かく流出する粉状物Ｐの流出量が所定量となり、一振りによって粉状物を所定量（例えば、０．３ｇ）計量することができる。
【００３２】
尚、粉状物Ｐの流出量（計量の量）を多くするには、計量開口４２を大きく（例えば、その直径を大きく）すればよく、その流出量を少なくするには、計量開口４２を小さく（例えば、その直径を小さく）すればよく、計量開口４２の大きさでもってコントロールすることができる。
【００３３】
また、この周側壁４０は、径方向内方に凹状に形成するのが好ましく、例えば半径が７〜１２ｍｍ程度となるような円弧状凹部となるようにするのが一層好ましい。このように凹状（一層好ましくは、円弧状凹部）に形成することによって、容器本体４を下側に向けて一振りしたときに、容器本体４内の粉状物Ｐは、内蓋２０の周側壁４０の凹状面（円弧状凹状面）に沿って径方向外方にスムースに流れ、これによって、計量開口４２付近の粉状物の密度がより高められるようになる。
【００３４】
また、上蓋２２に関連して、その周側壁２８のテーパ角度を、内蓋と同様に、３０〜６０度にするのが好ましく、４０〜５０度にするのが一層好ましい。かく構成することによって、後の記載から容易に理解されるように、下側に振って内蓋２０の計量開口４２から流出した粉状物Ｐは、この周側壁２８の内周面に沿って排出開口３４に向けて流れ、計量した粉状物を確実に排出開口３４に導いてこの排出開口３４を通して排出することができる。
【００３５】
外蓋２２の周側壁２８は、内蓋２０の周側壁４０と同様に、径方向内方に向けて凹状に形成するのが好ましく、円弧状凹状に形成するのがより好ましい。このように構成することにより、下側に振って内蓋２０の計量開口４２から流出した粉状物Ｐは、この周側壁２８の凹状内周面（円弧状凹状内周面）に沿って排出開口３４に向けてスムースに流れ、計量した粉状物Ｐをより確実に排出開口３４を通して排出することができる。
【００３６】
この容器２に収容された粉状物Ｐは、容器２を下側に向けて一振りすることによって、内蓋２０の計量開口４２によって所定量（例えば、約０．３ｇ）計量され、計量された粉状物Ｐは、外蓋２２の排出開口３６を通して振り出される。図２〜図４を参照して、粉状物を振り出すときには、容器本体４の口部８からキャップ体６を取外す。そして、この状態で容器本体を下側に向けて一振りすればよい。
【００３７】
かくすると、収容器本体４内の粉状物Ｐが内蓋２０の計量開口４２を通して中間空間２４に流出し、この流出の際に、所定量が計量される。即ち、容器本体４を一振りした際に、容器本体４内の粉状物は矢印５２（図４参照）で示すように内蓋２０の周側壁４０に沿って径方向外方に流れ、かく流れることによって、容器本体４の底部からの粉状物Ｐは矢印５４（図４参照）で示すように流れ、このようにして内蓋２０の計量開口４２付近の粉状物の密度が高められ、これによって、粉状物間の摩擦抵抗が大きくなって計量開口４２からの粉状物Ｐの流出が止まるようになる。この流出が止まるまで計量開口４２を通して粉状物Ｐが流出し、かく流出する流出量が計量開口４２を通して計量される量となり、この実施形態の場合に約０．３ｇとなる。
【００３８】
このように計量された粉状物Ｐは、中間空間２４に流出し、かく流出した粉状物Ｐが外蓋２２の排出開口３４を通して振り出され、かくして、容器本体４を上述したように一振りすることによって、所定量（例えば、０．３ｇ）の粉状物（例えば、粉末茶）を振り出すことができる。
【００３９】
振り出した後に容器本体４をテーブル（図示せず）などの上面に戻すと、中間空間２４に残留した粉状物Ｐが内蓋２０の周側壁４０の内周面に沿って計量開口４２に向けて流れ、この計量開口４２を通して容器本体４内に戻され、かくして、中間空間２４内に粉状物Ｐが残るのを少なくすることができる。
【００４０】
また、内蓋２０の周側壁４０は、容器本体４の内方に向けてテーパ状に先細になっており、外蓋２２の上側周側壁２８は、外側にテーパ状に先細になっており、このような構成によって容器本体４を傾けても粉状物が流れ出ることはなく、その飛散を防止することができる。
【００４１】
〔第２の実施形態〕
次に、図５を参照して、第２の実施形態の計量機能付き容器について説明する。この第２の実施形態においては、蓋体（内蓋及び外蓋）に改良が施されている。尚、以下の実施形態において、上述した第１の実施形態と実質上同一の部材には同一の参照番号を付し、その説明を省略する。
【００４２】
図５において、この第２の実施形態においては、蓋体１８Ａの内蓋２０Ａに関連して、この内蓋２０Ａの計量開口４２は、底壁３６Ａの実質上全域にわたって設けられ、周側壁４０Ａの内周面は、この計量開口４２の外周縁部に向けて延び、この周側壁４０Ａの内周縁部と計量開口４２の外周縁部との間に平坦な部分が存在していない。このように構成することによって、容器本体４をテーブルなどに戻したときに、中間空間２４に残留する粉状物は、周側壁４０Ａの内周面に沿って計量開口４２に確実に導かれ、これによって、残留する粉状物を計量開口４２を通して容器本体４内により確実に戻すことができる。
【００４３】
また、蓋体１８Ａの外蓋２２Ａに関連して、この外蓋２２Ａの排出開口３４は、天壁２６Ａの実質上全域にわたって設けられ、周側壁２８Ａの内周面は、この排出開口３４の外周縁部に向けて延び、この周側壁２８Ａの内周縁部と排出開口３４の外周縁部との間に平坦な部分が存在していない。このように構成することによって、容器本体４を一振りして粉状物を振り出すときに、中間空間２４に流出した粉状物は、外蓋２２Ａの周側壁２８Ａの内周面に沿って排出開口３４に確実に導かれ、これによって、計量開口４２を通して計量された粉状物を排出開口３４を通してより確実に振り出すことができる。
【００４４】
この第２の実施形態の容器におけるその他の構成は、上述した第１の実施形態と実質上同一であり、従って、上述したと同様の作用効果を達成することができる。
【００４５】
〔第３の実施形態〕
次いで、図６を参照して、第３の実施形態の計量機能付き容器について説明する。この第３の実施形態においては、上述した第２の実施形態のものと比べて蓋体の内蓋に改良が施されている。蓋体１８Ｂの内蓋２０Ｂの底壁３６Ｂには、実質上全域にわたって計量開口４２が設けられ、その周側壁４０Ｂは、底壁３６の外周部から外蓋２２Ａに向けて径方向外方に拡がるように形成され、直線状のテーパ形状となっており、このように周側壁４０Ｂを直線状のテーパ形状にしても上述したと同様の効果が達成される。尚、この第３の実施形態の容器におけるその他の構成は、上述の第２の実施形態と実質上同一でよい。
【００４６】
この第３の実施形態においては、外蓋２２Ａの構成を内蓋２０Ｂと略同様の構成にすることもできる。即ち、外蓋２２Ａの周側壁２８Ａを、天壁３６Ａの外周部から内蓋２０Ｂに向けて径方向外方に拡がる直線状テーパ形状とすることができ、このように構成しても上述下同様の効果を達成することができる。
【００４７】
〔蓋体の変形形態〕
蓋体の排出開口は、図７に示すように構成することができる。図７において、この変形形態の蓋体１８Ｃにおいては、外蓋２２Ｃの排出開口３４Ｃは、第１〜第３の実施形態のように円形状ではなく、円形状の中央部分６２の周囲に略半円状の拡張部６４が６つ設けられた形状となっている。この変形形態の蓋体１８Ｃのその他の構成は、上述した第１の実施形態と実質上同一でよい。
【００４８】
この変形形態の蓋体１８Ｃにおいては、排出開口３４Ｃの隣接する拡張部６４は径方向内方に突出する突出部６６によって規定される。一般的に、粉末茶の如き粉状物は、小さな粒状に固まりやすい傾向にあり、小さな粒状に固まると排出開口を通して排出され難くなり、中間空間に溜まりやすくなるが、排出開口３４Ｃを上述いた形状に形成することによって、粉状物の小さな塊は、突出部６６に引っ掛かって回って排出開口３４から排出されやすくなる。従って、固まりやすい粉状物を収容するときには、図７に示す形状の排出開口３４Ｃを備えた蓋体１８Ｃを用いるのが望ましい。
【００４９】
尚、外蓋２２Ｃの排出開口３４Ｃの形状は、図７に示す形状に限定されず、例えば、円形状の中央部分６２の周囲に略半円状の拡張部６４を７つ以上設けた形状にするようにしてもよく、或いは星形などの他の形状にするようにしてもよい。
【００５０】
〔蓋体の取外し具〕
次に、図８〜図１０を参照して、取外し具の一実施形態について説明する。図示の取外し具１０２は、全体として略Ｕ字状の取外し具本体１０４を備えている。この取外し具本体１０４は、一対のアーム部、即ち第１及び第２アーム部１０６，１０８を有し、第１及び第２アーム部１０６，１０８の基部が接続部１１０を介して開閉自在（相互に近接する方向及び離隔する方向に移動自在に）に接続されている。
【００５１】
第１アーム部１０６の先端部には、第２アーム部１０８に向けて折曲された第１折曲部１１０が設けられ、この第１折曲部１１０の先端部に係止突部１１２が設けられている。また、第２アーム部１０８の先端部には、第１アーム部１０６に向けて折曲された第２折曲部１１４が設けられ、この第２折曲部１１４の先端部には、容器本体４の口部８の外形形状に対応した受け凹部１１６が設けられている。
【００５２】
この実施形態では、蓋体１８の取外しの際に容器本体４の口部８に傷などが付かないように、第２アーム部１０８の第２折曲部１１４の先端部に保護部材１１８が取り付けられている。この保護部材１１８は、例えば合成樹脂シートなどから形成され、第２折曲部１１４の内側から受け凹部１１６を覆ってその外側まで取り付けられる。
【００５３】
容器２（容器本体４及び蓋体１８）としては、例えば、図１〜図４に示す形態のものでよく、この取外し具１０２を利用するときには、図９及び図１０に示すように、容器本体４の口部８の上端部に、例えばＶ字状（矩形状などでもよい）の挿入切欠き１２０が設けられる。
【００５４】
容器本体４に装着された蓋体１８を取り外すときには、図９に示すように、第２アーム部１０８の第２折曲部１１４の受け凹部１１６（具体的には、これを覆っている保護部材１１８）を容器本体４の口部８上端部に当てるとともに、第１アーム部１０６の第１折曲部１１０の係止突部１１２を容器本体４の口部８の挿入切欠き１２０に挿入する。かく挿入すると、第１折曲部１１０の係止突部１１２の先端は、この口部８の内側に位置する蓋体１８の外蓋２２における下側周側壁３２に当接し、これによって、係止突部１１２の更なる挿入が阻止される。
【００５５】
そして、このような状態において、図１０で示すように、取外し具１０２を矢印１２２で示すように回動させればよい。かくすると、第１アーム部１０６の係止突部１１２が外蓋２２の環状フランジ３０に係止して蓋体１８が矢印１２２で示す方向に回動され、この回動によって蓋体１８が容器本体４の口部８から幾分外れると、第２アーム部１０８の第２折曲部１１４の受け凹部１１６が容器本体４の口部８から外れて蓋体１８における外蓋２２の下側周側壁３２に当接し、このようにして第１及び第２アーム部１０６，１０８の第１及び第２折曲部１１０，１１４の先端部が外蓋２２の環状フランジ３０に係止した状態でもって、この外蓋２２の下側周側壁３２が第１及び第２折曲部１１０，１１４の先端部間に挟持され、かく挟持した状態で更に取外し具１０２を上方に持ち上げればよく、かく持ち上げることによって、容器本体４の口部８から蓋体１８を容易に取り外すことができる。
【００５６】
以上、本発明に従う計量機能付き容器の各種実施形態について説明したが、本発明はかかる実施形態に限定されるものではなく、本発明の範囲を逸脱することなく種々の修正乃至変更が可能である。
【符号の説明】
【００５７】
２，２Ａ，２Ｂ，２Ｃ  計量機能付き容器
４  容器本体
６  キャップ体
１８，１８Ａ．１８Ｂ，１８Ｃ  蓋体
２０，２０Ａ，２０Ｂ  内蓋
２２，２２Ａ  外蓋
３４，３４Ｃ  排出開口
４２  計量開口
１０２  取外し具
Ｐ  粉状物
【図１】
2013010515.tif 000003
【図２】
2013010515.tif 000004
【図３】
2013010515.tif 000005
【図４】
2013010515.tif 000006
【図５】
2013010515.tif 000007
【図６】
2013010515.tif 000008
【図７】
2013010515.tif 000009
【図８】
2013010515.tif 000010
【図９】
2013010515.tif 000011
【図１０】
2013010515.tif 000012